(57)【要約】【課題】            低コストにて製造でき、且つ現場での組立て作業を省力化することができる把手付き包装箱における保冷材等の収納用のポケット構造を提供する。【解決手段】        この発明の把手付き包装箱のポケット構造は、平面視多角形の底板２の各辺に折曲げ起伏可能に周壁３ａ，３ｂ，４ａ，４ｂを連設し、該周壁の上端に蓋を構成する天板６を起伏可能に連設した包装箱に関する。該天板６の側辺に天板６の内面に重ね合わせるように折曲げ可能なフラップ２２ａ，２２ｂを連設し、該フラップ２２ａ，２２ｂの自由端を天板６側に接着固定することにより、天板６内面側に保冷材４１その他の備品を収納するポケット２９を形成した。  また上記フラップ２２ａ，２２ｂに保冷材４１の冷気が内部に流入するように、事後的且つ部分的にちぎり取り可能な切取蓋２４を天板６側の把手１９の切り残し部と重なる位置に形成した。【選択図】          図２
2005324808.tif 000002
【特許請求の範囲】
【請求項１】
平面視多角形の底板（２）の各辺に折曲げ起伏可能に周壁（３ａ），（３ｂ），（４ａ），（４ｂ）を連設し、該周壁の上端に蓋を構成する天板（６）を起伏可能に連設した包装箱（１）において、該天板（６）の側辺に天板（６）の内面に重ね合わせるように折曲げ可能なフラップ（２２ａ），（２２ｂ）を連設し、該フラップ（２２ａ），（２２ｂ）の自由端を天板（６）側に連結固定することにより、天板（６）内面側に保冷材（４１）その他の備品を収納するポケット（２９）を形成してなる把手付き包装箱のポケット構造。
【請求項２】
フラップ（２２ａ），（２２ｂ）を天板（６）の両側辺に連設し、両フラップ（２２ａ），（２２ｂ）の自由端同士を接着固定して連結した請求項１の把手付き包装箱のポケット構造。
【請求項３】
上記フラップ（２２ａ），（２２ｂ）に保冷材（４１）の冷気が内部に流入するように、事後的且つ部分的にちぎり取り可能な切取蓋（２４）を形成した請求項１又は２の把手付き包装箱のポケット構造。
【請求項４】
切取蓋（２４）の設置位置を天板（６）側の把手（１９）の切り残し部と重なる位置に設けた請求項１，２又は３の把手付き包装箱のポケット構造。
【請求項５】
天板（６）の側辺に対応する周壁である側壁（４ａ），（４ｂ）の上端に、内向きに且つ水平方向に折り曲げられて天板（６）を受止める上部フラップ（１２ｂ）を連設し、該上部フラップ（１２ｂ）の自由端を円弧状に形成した請求項１，２，３又は４の把手付き包装箱のポケット構造。
【発明の詳細な説明】
【技術分野】
【０００１】
この発明はケーキ等の収容物を収容する把手付き包装箱に関し、特に保冷材やローソク，メッセージカードその他の付属品等を収納するポケットを備えた把手付き包装箱に関する。
【背景技術】
【０００２】
従来の保冷材等を収納する把手付き包装箱のポケット構造としては、特許文献１の図１０に示すように、上部に開口部を設けた保冷材収納部を備えた一体の紙からなる包装箱が公知である。また特許文献２の図３に示すように、側壁上縁に保冷材収納板を形成し、該収納板の自由端に把手を起立状態で係止固定する係止片を連設し、該係止片を差込口から引き出す構造とした保冷材収納部を備えた紙箱等が公知である。
【特許文献１】登録実用新案第３０７５５２５号公報（図１０）
【特許文献２】登録実用新案第３０４７５７９号公報（図３）
【発明の開示】
【発明が解決しようとする課題】
【０００３】
しかし、特許文献１の図７〜１３に示す実施例では、一体の紙にて保冷材等の収納部を形成するものの、保冷材等の収納部の使用不使用にかかわらず、包装箱の内容積を狭める収納スペースが必ず形成されるという問題があり、収納するケーキ等の種類によっては、保冷材の使用不使用によって２種類の包装箱を店頭等の現場で用意しなければならず、コスト高となっていた。
【０００４】
また特許文献２は、側壁上縁と係止片３８，３９の間に保冷材収納板３６，３７を設けたので、保冷材収納部に十分な収納スペースを確保するためには、天板部４８，４９及び底板部５６，５７の幅を広く取る必要があり、多くの紙を必要としコスト高になっていた。その他、複数の折目を介して内側に折り返し差込口から係止片を引き出す構造であるので、店頭等での現場作業が煩雑になるという問題があった。
この発明は、これらの課題を解決又は改善しようとするものである。
【課題を解決するための手段】
【０００５】
上記課題を解決するための本発明の把手付き包装箱のポケット構造は、第１に、平面視多角形の底板２の各辺に折曲げ起伏可能に周壁３ａ，３ｂ，４ａ，４ｂを連設し、該周壁の上端に蓋を構成する天板６を起伏可能に連設した包装箱１において、該天板６の側辺に天板６の内面に重ね合わせるように折曲げ可能なフラップ２２ａ，２２ｂを連設し、該フラップ２２ａ，２２ｂの自由端を天板６側に連結固定することにより、天板６内面側に保冷材４１その他の備品を収納するポケット２９を形成してなることを特徴としている。
【０００６】
第２に、フラップ２２ａ，２２ｂを天板６の両側辺に連設し、両フラップ２２ａ，２２ｂの自由端同士を接着固定して連結したことを特徴としている。
【０００７】
第３に、上記フラップ２２ａ，２２ｂに保冷材４１の冷気が内部に流入するように、事後的且つ部分的にちぎり取り可能な切取蓋２４を形成したことを特徴としている。
【０００８】
第４に、切取蓋２４の設置位置を天板６側の把手１９の切り残し部と重なる位置に設けたことを特徴としている。
【０００９】
第５に、天板６の側辺に対応する周壁である側壁４ａ，４ｂの上端に、内向きに且つ水平方向に折り曲げられて天板６を受止める上部フラップ１２ｂを連設し、該上部フラップ１２ｂの自由端を円弧状に形成したことを特徴としている。
【発明の効果】
【００１０】
以上の如く構成される本発明の把手付き包装箱のポケット構造によれば、以下に示すような効果を奏するものである。
（１）天板の側辺外側部分を有効利用してフラップを連設し、収納用のポケットを形成したので、紙の材料コストを大きく変えずに、また別の部品を別工程にて接着する必要なく、切断から糊付け，出荷に至るまで一連の工程にて製造することができ、従来品と略同一の製造コストで生産することができる。さらに収納用のポケットは既に出荷時に形成されているので、店頭等の現場では包装箱の組立作業のみで良く、作業性を向上させることができる。
【００１１】
（２）天板の両側辺からフラップを内側に折返して収納用のポケットを形成する構成としたので、天板の２重化によって強度が増し、箱組み後の積み重ね等の取扱いが容易になる。
【００１２】
（３）保冷材等の収納用のポケットを天板の内側に形成したので、包装箱の容積を減少させることが殆んどなく、現行のケーキ用トレーのサイズを保って製造することができる。
【００１３】
（４）ポケットの内側に事後的且つ部分的に取り外し可能な切取蓋を設け、その切取蓋を剥がすことによって冷気の抜け道として通気孔を形成することができるので、冷気を包装箱内に十分に行き渡らせることができる。また切取蓋は必要に応じて取り外し可能な構成であるから、ポケットに保冷材以外のローソク等の他の備品を収容することもできる。
【００１４】
（５）左右側壁上端の上部フラップの先端を円弧状に形成したので、把手を持って包装箱を持ち上げた際の天板内面の撓み形状とフラップ端部の円弧形状とが互に適合し合い、蓋下面の隙間の発生が防止される。
【発明を実施するための最良の形態】
【００１５】
以下本発明の実施形態を図面に基づき説明する。図１は本包装箱の箱組み完成状態を示す斜視図，図２は開蓋状態示す斜視図、図３は内面展開図、図４は保冷材をポケットに収納後の図１のＡ−Ａ断面図である。
【００１６】
包装箱１は、正方形又は長方形の底板２に対して、周壁として前後壁３ａ，３ｂ及び左右側壁４ａ，４ｂが折曲げ起伏可能に連設されており、後壁３ｂの延長上には天板６を介して中央に一対の八字形の係止孔７を備えた蓋フラップ８が折り曲げ可能に連設されている。そして後壁３ｂの左右両端には、前方下端に係止爪９を備えた接合フラップ１１が折り曲げ可能に連設されている。
【００１７】
前壁３ａと左右側壁４ａ，４ｂの上端には上記周壁の上端を補強する上部フラップ１２ａ，１２ｂがそれぞれ折り曲げ可能に連設されている。該上部フラップ１２ａ，１２ｂは包装箱１の内側に向ってアングル状に折り曲げられ、天板６を受止める蓋受け用周縁部を形成している。また上部フラップ１２ｂの自由端は円弧状に形成されている。
【００１８】
左右側壁４ａ，４ｂの前端には前フラップ１３が折り曲げ可能に連設され、該前フラップ１３の連設基端部の上端には係止爪１４が突出形成されている。そして上部フラップ１２ａの連設基端部の左右両端には切込み１６が形成され、前記係止爪１４と切込み１６とで前壁３ａを係止固定し、前壁３ａの起立を保持する構成となっている。
【００１９】
前壁３ａの略中央上端位置には、略Ｔ字形をなす係止片１７が設けられており、該係止片１７の上端左右位置に爪部１８が突出形成されている。天板６と蓋フラップ８等からなる蓋にて閉蓋する際には、蓋フラップ８を前壁３ａと係止片１７間に差込み、係止片１７の爪部１８を上記係止孔７に挿入し、天板６及び蓋フラップ８を係止固定する構造となっている。
【００２０】
図１，３に示すように、天板６には該天板６の一部をＵ字形に切り取った一対の把手１９が設けられている。そして把手１９の起立に伴って切り残し形成された切り残し孔２１は、後述する左右フラップ２２ａ，２２ｂによって閉塞され、塵やゴミ等の浸入を防止する構成となっている。
【００２１】
図２，３に示すように天板６の左右両端には左右フラップ２２ａ，２２ｂが折り曲げ可能に連設されている。該フラップ２２ｂにはミシン目等によって案内部２３が形成され、該案内部２３によって帯状の切取蓋２４が事後的且つ部分的に切り取り可能に設けられている。そして冷気が内部に流入するための通気孔２６は図２の矢印に示すように該切取蓋２４をちぎり取ることによって形成される。この例では通気孔２６は把手１９の切り残し部と重なる位置に設けられている。
【００２２】
上記右フラップ２２ｂは天板６の内側に折返し、該右フラップ２２ｂに形成されたコ字形の接着代２７ａを天板６の裏面の接着代２７ｂに接着する。そして上記左フラップ２２ａの接着代２８ａを右フラップ２２ｂの接着代２８ｂ（図３の内面展開図において裏面側）に接着固定し、ポケット２９を形成する構成となっている。ちなみに前記ポケット２９の保冷材その他の備品の出し入れ口は上記把手１９の切り残し孔２１とする。
【００２３】
上記ポケット２９を形成するための接着代２７ａは図３に示すように必ずしもコ字形である必要はなく、フラップ２２ａの先端のみ又は前後両端のみを接着代とすることも可能であり、ポケット形状としては筒状又は袋状若しくは天板６の端部に「まち」をもたせて箱状にすることも可能である。
【００２４】
図３の内面展開図に示すように、左右側壁４ａ，４ｂの内側及び接合フラップ１１の裏側には接着代３１ａ，３１ｂがそれぞれ形成されている。また左右側壁４ａ，４ｂには後方の底部コーナーより上部フラップ１２ｂの左右前端に至る折目３２（外側において谷線）が形成されている。さらに底板２と左右側壁４ａ，４ｂとを連設する折目の中央には、上記接合フラップ１１に形成された係止爪９が嵌合する係止孔３３が切欠形成されている。
【００２５】
上記構成による本包装箱１は、左右側壁４ａ，４ｂの接着代３１ａを接合フラップ１１の接着代３１ｂに接着固定するとともに、上述のように接着代２７ａ，２７ｂ及び接着代２８ａ，２８ｂをそれぞれ接着固定し、ポケット２９を形成する。そして折目３２を介して底板２，前壁３ａ，上部フラップ１２ａ上に、後壁３ｂ，左右側壁４ａ，４ｂ，上部フラップ１２ｂ，前フラップ１３，接合フラップ１１，ポケット２９，天板６，蓋フラップ８を折畳んで重ね合わせた板状の状態（図示しない）で店頭等の現場へ出荷する。
【００２６】
上述の折畳んだ重ね合わせ状態から、蓋を構成する天板６等と後壁３ｂを起立方向に回動させる。後壁３ｂに連設した接合フラップ１１は左右側壁４ａ，４ｂに接着固定されているので、左右側壁４ａ，４ｂは後壁３ｂの起立に伴って回動起立する構成となっている。そして左右側壁４ａ，４ｂの起立と同時に接合フラップ１１の前方下端の係止爪９を係止孔３３に嵌合係止させて左右側壁４ａ，４ｂの起立を保持する。
【００２７】
底板２に対して後壁３ｂ及び左右側壁４ａ，４ｂ，接合フラップ１１を起立させた状態で、ケーキ等の内容物を従来公知のケーキ用トレーとともに底板２上に挿入載置する。そして前フラップ１３を内側にアングル状に折り曲げて前壁３ａを起立させ、上部フラップ１２ａを水平方向内側にアングル状に折り曲げる。該上部フラップ１２ａの連設基端部の両端に形成された切込み１６に係止爪１４を嵌合し係止固定させて前壁３ａの起立を保持する。
【００２８】
さらに上部フラップ１２ｂを内側にアングル上に折曲げ、前記上部フラップ１２ａとで周壁上端を補強するとともに、蓋受け用周縁部を形成しポケット２９を備えた天板６等で構成される蓋を受止める構成となっている。閉蓋後は、蓋フラップ８の係止孔７に前壁３ａに形成された係止片１７のハ字形の爪部１８を挿入し係止固定し、包装箱１の箱組みを完成させる。
【００２９】
保冷材４１を使用する際には、把手１９を起立させた後、把手１９の切り残し孔２１より、保冷材４１をポケット２９に挿入する。そして天板６の裏側の右フラップ２２ｂの案内部２３に沿って切取蓋２４を切り取り、通気孔２６を形成することによって、冷気を包装箱１内に流入させることができる。また保冷材４１の使用時には主として買い物袋等に包装箱１を入れる際に把手１９を起立させて使用するが、買い物袋に入れた後は再度把手１９を倒伏させて使用することが多い。よって保冷材４１上面は概ね覆われているので、包装箱１外への冷気の放出を最小限に留めることができる。
【００３０】
この例では切取蓋２４の形成位置は把手１９の切り残し部と重なる位置に形成されているので、塵や埃等のゴミが通気孔２６を通って内部に侵入することはない。またメッセージカード，ろうそく，ナイフ等の他の備品をポケット２９に収容する際には、切取蓋２４をちぎり取る必要はない。よってポケット２９は、収容保持する備品に応じて様々な用途に利用できる構成となっている。
【００３１】
以上のように構成される本発明の把手付き包装箱のポケット構造は、底板が正方形や長方形の箱体だけでなく、六角形等の各種多角形の包装箱の天板の内側に保冷材その他の備品を収納する筒状のポケットを形成することもできる。また上述の切取蓋については、楕円等の他の形状にしてもよく、形成個数，形成場所についても上記態様に限らず、自由に変更可能である。
【産業上の利用可能性】
【００３２】
この発明は主としてケーキ用包装箱のほか、フルーツその他の保冷食材等の包装箱にも応用できるものである。
【図面の簡単な説明】
【００３３】
【図１】本包装箱の箱組み状態を示す斜視図である。
【図２】本包装箱の開蓋状態を示す斜視図である。
【図３】本包装箱の内面展開図である。
【図４】本包装箱のポケットに保冷材を収納後の図１におけるＡ−Ａ断面図である。
【符号の説明】
【００３４】
１      包装箱
２      底板
３ａ    前壁（周壁）
３ｂ    後壁（周壁）
４ａ    左側壁（周壁）
４ｂ    右側壁（周壁）
６      天板
１２ｂ  上部フラップ
１９    把手
２２ａ  フラップ
２２ｂ  フラップ
２４    切取蓋
２９    ポケット
４１    保冷材
【図１】
2005324808.tif 000003
【図２】
2005324808.tif 000004
【図３】
2005324808.tif 000005
【図４】
2005324808.tif 000006